(57)【要約】【課題】コストの削減が容易なバックライトアセンブリ、バックライトユニット、及び液晶表示装置を提供すること。【解決手段】発光素子２５が実装された発光素子基板２６をシャーシ３の前面に配置し、第１のコネクタ２４に嵌合接続させる。一方、発光素子基板２６に電力を供給する電源供給基板３１はシャーシ３の後面に配置し、これに第２のコネクタ３２を搭載する。そして第１のコネクタ２４及び第２のコネクタ３２を互いに嵌合接続させることにより、電源供給基板３１から発光素子基板２６に第１のコネクタ２４及び第２のコネクタ３２を介して電力を供給する。第２のコネクタ３２はハーネスを介して電源供給基板３１に電気的に接続されてもよい。【選択図】図８
2012028300.tif 000002
【特許請求の範囲】
【請求項１】
シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板に実装されかつ前記第１のコネクタに嵌合接続された第２のコネクタとを含み、前記電源供給基板から前記発光素子基板に前記第１のコネクタ及び前記第２のコネクタを介して電力を供給することを特徴とするバックライトアセンブリ。
【請求項２】
シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板にハーネスを介して接続されかつ前記第１のコネクタに嵌合接続された第２のコネクタとを含み、前記電源供給基板から前記発光素子基板に前記第１のコネクタ及び前記第２のコネクタを介して電力を供給することを特徴とするバックライトアセンブリ。
【請求項３】
前記第１のコネクタは、前記シャーシを貫通した絶縁性の第１のハウジングと、前記第１のハウジングに保持された導電性の第１のコンタクトとを含む、請求項１又は２に記載のバックライトアセンブリ。
【請求項４】
前記第１のコンタクトは、前記第１のハウジングに係合する係合部と、前記係合部の一側に設けた、前記発光素子基板と接触するバネ部と、前記係合部の反対側に設けた、前記第２のコネクタと接触する接触部とを有する、請求項３に記載のバックライトアセンブリ。
【請求項５】
前記第１のハウジングは、前記発光素子基板を挿入する挿入口と、前記シャーシに係合するシャーシ係合部とを有する、請求項３又は４に記載のバックライトアセンブリ。
【請求項６】
前記第２のコネクタは、絶縁性の第２のハウジングと、前記第２のハウジングに保持された導電性の第２のコンタクトと、前記第２のハウジングに固定されたホールドダウンとを含み、前記ホールドダウンは前記電源供給基板に半田付け固定された、請求項１、３、４、及び５のいずれか一項に記載のバックライトアセンブリ。
【請求項７】
前記第２のコンタクトは、前記第２のハウジングに係合する係合部と、前記第１のコンタクトの接触部に接触するためのバネ部とを有する、請求項１〜６のいずれか一項に記載のバックライトアセンブリ。
【請求項８】
請求項１〜７のいずれか一項に記載のバックライトアセンブリと、前記シャーシの前面側に配置された光学系とを含むことを特徴とするバックライトユニット。
【請求項９】
前記光学系は、前記シャーシの前面に順次積層された、反射シート、導光板、拡散シート、プリズムシート、及び集光シートを含む、請求項８に記載のバックライトユニット。
【請求項１０】
請求項８又は９に記載のバックライトユニットと、液晶表示部とを含み、前記前記光学系は前記バックライトアセンブリと前記液晶表示部との間に配置されていることを特徴とする液晶表示装置。
【請求項１１】
前記バックライトユニット及び前記液晶表示部を搭載したフレームを含む、請求項１０に記載の液晶表示装置。
【発明の詳細な説明】
【技術分野】
【０００１】
本発明は、表示装置のためのバックライトアセンブリ、それを用いたバックライトユニット、及び液晶表示装置に関する。
【背景技術】
【０００２】
液晶を用いた表示装置は、ブラウン管等の表示装置と比べて軽量薄型で消費電力が低いため、携帯機器やコンピュータ、大型テレビ等の表示装置に幅広く用いられている。液晶それ自体は発光しないため、表示装置において画面を表示するためには、液晶の後方から光を照射するバックライトユニットが用いられることがある。バックライトユニットは、通常、ＬＥＤ（Light Emitting Diode）等の発光素子を有する発光素子基板と、発光素子に電力や制御信号を供給する電力供給基板と、発光素子基板と電源供給基板を接続する電気伝導路とを有するバックライトアセンブリを含む。
【０００３】
バックライトアセンブリとしては、例えば発光素子基板と電源供給基板をシャーシの表裏にそれぞれ固定し、シャーシに設けられた穴にハーネスを通し、そのハーネスを電気伝導路として発光素子基板と電源供給基板とを電気的に接続する構造のものがある（特許文献１参照）。このような構造のバックライトアセンブリにあっては、シャーシの穴を介して粉塵等のゴミがバックライトユニットの内部に入りこまないようにするために、穴を塞ぐ必要がある。
【０００４】
次に、特許文献１に開示されたものとは異なるが類似の構造をもつバックライトアセンブリの例を図３１〜図３３を用いて説明する。
【０００５】
図３１および図３２に示すように、シャーシ１０３の前面の周辺部は枠１０３ｂを形成しており、枠１０３ｂにはＬＥＤ等の発光素子１３１および発光素子コネクタ１３３を有する発光素子基板１２３ａ〜１２３ｆがネジ止めされている（発光素子基板１２３ｄ、１２３ｅ、１２３ｆは図示せず）。
【０００６】
一方、図３３に示すように、シャーシ１０３の後面には発光素子基板１２３ａ〜１２３ｆに電力や制御信号を供給する電源供給基板２３７がネジ止めされており、電源供給基板２３７には電源供給基板コネクタ２３５が搭載されている。
【０００７】
発光素子基板１２３ａ〜１２３ｆと電源供給基板２３７はハーネス２３３を介して電気的に接続されている。具体的には、ハーネス２３３はその一端が発光素子コネクタ１３３と接続される発光素子側コネクタ１４３を構成しており、他端が電源供給基板コネクタ２３５と接続される電源供給基板側コネクタ（図示せず）を構成している。
【０００８】
また、シャーシ１０３にはハーネス２３３を通すための穴２３４が設けられている。穴２３４はゴム栓２３１で塞がれており、ゴム栓２３１にはハーネス２３３を通すためのスリット状の小穴２３１ａが設けられている。
【０００９】
このようなバックライトアセンブリの組み立て方法としては、以下のような工程が必要である。 
（１）発光素子基板１２３ａ〜１２３ｆをシャーシ１０３に取り付ける。 
（２）ハーネス２３３の発光素子側コネクタ１４３と発光素子基板１２３ａ〜１２３ｆの発光素子コネクタ１３３を接続し、ハーネス２３３を穴２３４よりシャーシ１０３の後面側に引き出す。 
（３）穴２３４をゴム栓２３１で塞ぐ。 
（４）シャーシ１０３の後面に電源供給基板２３７を固定する。 
（５）電源供給基板２３７の電源供給基板コネクタ２３５と、ハーネス２３３の電源供給基板側コネクタを接続する。
【先行技術文献】
【特許文献】
【００１０】
【特許文献１】特開２００９−２９５５８７号公報
【発明の概要】
【発明が解決しようとする課題】
【００１１】
しかしながら、このように、ハーネスをシャーシの穴に通して前後両面の基板（発光素子基板１２３ａ〜１２３ｆと電源供給基板２３７）をコネクタで接続する構造では、ゴム栓２３１、発光素子コネクタ１３３、電源供給基板コネクタ２３５、および両端にコネクタを備えたハーネス２３３が必須の構成となり、これ以上の部品点数の削減が困難であるため、コスト削減が難しいという問題があった。
【００１２】
また、上記した構造では、アセンブリの組み立ての際にハーネスをシャーシの穴に通して前後両面の基板と接続する工程が必要となるが、液晶表示装置のバックライトユニットのように、各部材をスタック（積層）して組み立てていく構造においては、このようなハーネスを穴に通す工程を含むと非常に作業性が悪くなり、工数も嵩むため、製造コストがかかるという問題があった。
【００１３】
さらに、液晶表示装置はその特性によって、同一のハーネスや発光素子基板を用い、異なる電源供給基板を用いたものがあるが、上記構造では電源供給基板の種類によらず、ハーネス側のコネクタに対応したコネクタを電源供給基板に搭載しなければならないため、電源供給基板の設計の自由度が小さく、コストがかかるという問題があった。
【００１４】
本発明は、このような問題に鑑みてなされたもので、その目的は、従来よりもコストの削減が容易なバックライトアセンブリ、バックライトユニット、及び液晶表示装置を提供することにある。
【課題を解決するための手段】
【００１５】
本発明の第１の例示的態様に係るバックライトアセンブリは、シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板に実装されかつ前記第１のコネクタに嵌合接続された第２のコネクタとを含み、前記電源供給基板から前記発光素子基板に前記第１のコネクタ及び前記第２のコネクタを介して電力を供給することを特徴とする。
【００１６】
本発明の第２の例示的態様に係るバックライトアセンブリは、シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板にハーネスを介して接続されかつ前記第１のコネクタに嵌合接続された第２のコネクタとを含み、前記電源供給基板から前記発光素子基板に前記第１のコネクタ及び前記第２のコネクタを介して電力を供給することを特徴とする。
【００１７】
本発明の例示的態様に係るバックライトユニットは、上記バックライトアセンブリと、前記シャーシの前面側に配置された光学系とを含むことを特徴とする。
【００１８】
本発明の例示的態様に係る液晶表示装置は、上記バックライトユニットと、液晶表示部とを含み、前記光学系は前記バックライトアセンブリと前記液晶表示部との間に配置されていることを特徴とする。
【発明の効果】
【００１９】
本発明によれば、従来よりもコストの削減が容易なバックライトアセンブリ、バックライトユニット、及び液晶表示装置を提供することが可能である。
【図面の簡単な説明】
【００２０】
【図１】液晶表示装置の分解斜視図。
【図２】本発明の第１の実施形態に係るバックライトアセンブリのシャーシに第１のコネクタを組み付ける過程を説明するための一部のみを示す分解斜視図。
【図３】第１の実施形態において、シャーシに第１のコネクタを組み付けた状態の一部のみを示す斜視図。
【図４Ａ】第１の実施形態において、シャーシに取り付けられる発光素子基板の平面図。
【図４Ｂ】図４Ａの一部のみを示す拡大図。
【図５Ａ】第１の実施形態において、発光素子基板に放熱用部材を取り付けた部品の斜視図。
【図５Ｂ】図５Ａの一部のみを示す拡大図。
【図６Ａ】図５Ａに示す部品をシャーシに組み付ける前の状態を示す斜視図。
【図６Ｂ】図６Ａの一部のみを示す拡大図。
【図７】第１の実施形態において、第２のコネクタを搭載した電源供給基板をシャーシに組み付ける過程を説明するための一部のみを示す分解斜視図。
【図８】図７の状態における要部のみの拡大断面斜視図。
【図９】第１の実施形態において、電源供給基板をシャーシに組み付けた状態の一部のみを示す斜視図。
【図１０】第１の実施形態における第１のコネクタを示し、（ａ）は斜視図、（ｂ）は平面図、（ｃ）は正面図、（ｄ）は側面図。
【図１１】第１の実施形態における第１のコネクタに含まれた第１のハウジングの斜視図。
【図１２】第１の実施形態における第１のコネクタに含まれた第１のコンタクトの斜視図。
【図１３】第１の実施形態における第２のコネクタを示し、（ａ）は斜視図、（ｂ）は平面図、（ｃ）は正面図、（ｄ）は側面図、（ｅ）は異なる方向から見た斜視図。
【図１４】第１の実施形態における第２のコネクタに含まれた第２のコンタクトの斜視図。
【図１５】第１の実施形態における第２のコネクタに含まれたホールドダウンの斜視図。
【図１６】第１の実施形態における第１のコネクタと第２のコネクタとの接続前の状態を示す断面図。
【図１７】第１の実施形態における第１のコネクタと第２のコネクタとの第１の接続状態を示す断面図。
【図１８】第１の実施形態における第１のコネクタと第２のコネクタとの第２の接続状態を示す断面図。
【図１９】本発明の第２の実施形態に係るバックライトアセンブリにおける第１のコネクタと電源供給基板との接続態様を示す断面図。
【図２０】第２の実施形態において、バックライトアセンブリのシャーシに第１のコネクタを組み付ける過程を説明するための前面（表面）側から見た斜視図。
【図２１】第２の実施形態において、シャーシに組み付けた第１のコネクタに発光素子基板を接続する過程を説明するための前面側から見た斜視図。
【図２２】第２の実施形態において、シャーシに組み付けた第１のコネクタに発光素子基板が接続された状態を示す、図２１と同様な斜視図。
【図２３】図２２に示す状態における発光素子基板の後面（裏面）側から見た斜視図。
【図２４】第１のコネクタに第２のコネクタが接続された、図２３と同様な斜視図。
【図２５】第２の実施形態において、第１のコネクタと第２のコネクタとが接続された状態を示す平面図。
【図２６】第２の実施形態における第１のコネクタを示し、（ａ）は正面図、（ｂ）は背面図、（ｃ）は平面図、（ｄ）は底面図、（ｅ）は右側面図。
【図２７】図２６（ａ）のＡ−Ａ線に沿って得られた断面図。
【図２８】第１のコネクタとシャーシとの関係を示した一部のみの図２７と同様な断面図。
【図２９】図２６（ａ）のＢ−Ｂ線に沿って得られた断面図。
【図３０】第２の実施形態における第１のコネクタと発光素子基板との関係を示した説明用断面図。
【図３１】従来のバックライトアセンブリの例を示す平面図。
【図３２】図３１の点線で囲まれた領域の拡大斜視図であって、（ａ）は領域αの拡大斜視図、（ｂ）は領域βの拡大斜視図、（ｃ）は領域γの拡大斜視図。
【図３３】図３１の裏面図。
【発明を実施するための形態】
【００２１】
以下、図面に基づいて本発明の実施形態について説明する。 
まず、図１を参照して、液晶表示装置１００の全体構成を説明する。
【００２２】
図１に示すように、液晶表示装置１００は、液晶を用いた前部の液晶表示部３００と、液晶表示部３００に光を照射するための後部のバックライトユニット２００と、これらを搭載したフレーム１５とを有している。バックライトユニット２００は、バックライトアセンブリ１と、そのバックライトアセンブリ１の前面側に、即ち、バックライトアセンブリ１と液晶表示部３００との間に配置された光学系とを含んでいる。
【００２３】
バックライトアセンブリ１は金属製のシャーシ３を含んでいる。光学系は、シャーシ３の前面に順次積層された反射シート５、導光板７、拡散シート９、プリズムシート１１、集光シート１３を有している。
【００２４】
次に、図２〜図９を参照して、第１の実施形態に係るバックライトアセンブリを、それの製造方法と共に明らかにする。
【００２５】
図２において、シャーシ３は、矩形板状の主板部３ａと、その主板部３ａの各辺若しくはその近傍から前面側に突出した枠板部３ｂとを有している。主板部３ａの一辺における枠板部３ｂの近傍には前面から後面に向けてへこんだ凹部３ｃが形成され、さらに凹部３ｃの底面にシャーシ穴部３ｄが形成されている。シャーシ穴部３ｄには、後文にて詳述する第１のコネクタ２４が挿通されて固定される。シャーシ３に第１のコネクタ２４を実装した状態を図３に示す。なお、第１のコネクタ２４を設置したシャーシ３の全体は図６Ａに示されている。
【００２６】
さらに、図４Ａ及び図４Ｂに示すようにＬＥＤ（Light Emitting Diode）等の多数の発光素子２５が一面に一列に実装された細長い発光素子基板２６を２つ用意し、これらを図５Ａ及び図５Ｂに示すように一つの放熱用部材２７に直列に配置する。これらの発光素子基板２６は、互いに隣接した端部に、幅方向で一側に互いに平行に突出した基板凸部２６ａを有している。一方、放熱用部材２７は、発光素子基板２６の発光素子２５を実装した面とは反対の面に対向する裏打ち部２７ａと、裏打ち部２７ａとは直角な放熱部２７ｂと、放熱部２７ｂに形成された凸部挿入口２７ｃとを有している。
【００２７】
発光素子基板２６は、基板凸部２６ａが凸部挿入口２７ｃに挿通された状態で放熱用部材２７に組み付けられ、かつ、長手方向に間隔をもつ複数のネジ止め穴２６ｂを利用して放熱用部材２７にネジ止め固定される。また、基板凸部２６ａの一面には、凸部挿入口２７ｃを通って放熱部２７ｂの反対側に露出した二つの導電性の接触部２６ｃが設けられている。これらの接触部２６ｃは発光素子基板２６の回路を介して発光素子２５に接続されている。
【００２８】
発光素子基板２６に放熱用部材２７を取り付けてなる発光部品２８を、第１のコネクタ２４を設置したシャーシ３の前面に、図６Ａ及び図６Ｂに示すように配置し、基板凸部２６ａを第１のコネクタ２４に挿入しかつ放熱用部材２７をシャーシ３にネジ止めする。かくして、図１に示すバックライトアセンブリ１の前面側には、第１のコネクタ２４を介して通電可能な多数の発光素子２５がシャーシ３の一片の近傍に沿って配列固定される。
【００２９】
一方、図１に示すバックライトアセンブリ１の後面側には、発光素子基板２６に電力を供給するための電源供給基板３１が備えられている。電源供給基板３１はシャーシ３の後面に平行に配置されかつシャーシ３にネジ止めにより固定されている。
【００３０】
図７及び図８に示すように、電源供給基板３１の後面には、後文にて詳述する第２のコネクタ３２が実装されている。第２のコネクタ３２は第１のコネクタ２４と嵌合して電気的接続を得ることができるものである。第２のコネクタ３２と第１のコネクタ２４との嵌合を可能にするため、電源供給基板３１には第２のコネクタ３２に対応して嵌合用開口３１ａが形成されている。
【００３１】
第２のコネクタ３２と第１のコネクタ２４との嵌合を伴って電源供給基板３１はシャーシ３の後面に配置固定した状態を図９に示した。
【００３２】
次に、図１〜図９と共に図１０〜図１２をも参照して、第１のコネクタ２４について説明する。
【００３３】
第１のコネクタ２４は、シャーシ３を貫通する絶縁性の第１のハウジング３４と、第１のハウジング３４に保持された４本の導電性の第１のコンタクト３５とを含んでいる。
【００３４】
第１のハウジング３４は、二つの基板凸部２６ａをそれぞれ挿入するための二つの基板挿入口３４ａと、第２のコネクタ３２に嵌合されるときの挿入を誘う一対の挿入誘い部３４ｂと、シャーシ穴部３ｄに挿入されたときにシャーシ３に突き当たるシャーシ突き当て面３４ｃと、シャーシ突き当て面３４ｃと協働してシャーシ係合部として働き、第１のコネクタ２４をシャーシ３に対し拘束若しくは固定するためのバネ性をもつ対のシャーシ係合爪３４ｄと、第２のコネクタ３２に嵌合したときに第２のコネクタ３２に突き当たるコネクタ突き当て面３４ｅとを有している。各挿入誘い部３４ｂの先端には誘い易くするための面取りがある。
【００３５】
第１のコンタクト３５の各々は、第１のハウジング３４に圧入する二つの圧入部３５ａ、３５ｂを有している。第１のコンタクト３５の中間部にある圧入部３５ａを、ここでは、第１のハウジング３４に係合する係合部と呼ぶ。第１のコンタクト３５の係合部３５ａの一側にはバネ部３５ｃが、係合部３５ａの反対側には直線的にのびた平板状のコネクタ接触部３５ｄが、それぞれ形成されている。バネ部３５ｃは、発光素子基板２６の基板凸部２６ａに設けた接触部２６ｃと一対一で接触する基板接触部３５ｅと、第１のハウジング３４に係合してバネ部３５ｂの煽りを防止する煽り防止部３５ｆとを有している。基板接触部３５ｅは基板挿入口３４ａに配置される。
【００３６】
次に、図１〜図９と共に図１３〜図１５をも参照して、第２のコネクタ３２について説明する。
【００３７】
第２のコネクタ３２は、絶縁性の第２のハウジング３７と、第２のハウジング３７に保持された４本の導電性の第２のコンタクト３８と、第２のハウジング３７に固定された一対のホールドダウン３９とを含んでいる。
【００３８】
第２のハウジング３７は、第１のコネクタ２４のうちシャーシ３を貫通して後部に突出した部分を受け入れるための嵌合用凹部３７ａを有している。嵌合用凹部３７ａの両端部には、第１ハウジング３４の一対の挿入誘い部３４ｂを受け入れるために幅広の一対の誘い受け部３７ｂがそれぞれ形成されている。嵌合用凹部３７ａの入口周辺には誘い易くするための面取りがある。
【００３９】
第２のコンタクト３８の各々は、第２のハウジング３７に圧入係合する２箇所の圧入部又は係合部３８ａと、係合部３８ａの一側のバネ部３８ｂと、係合部３８ａの他側の端子部３８ｃとを有している。端子部３８ｃは、電源供給基板３１に形成したスルーホール（図示せず）に半田付け接続される。バネ部３８ｂは蛇行しつつのび、コネクタ接触部３８ｄと煽り防止部３８ｅとを有している。コネクタ接触部３８ｄは、第１のコンタクト３５のコネクタ接触部３５ｄに接触するための部分である。煽り防止部３８ｅは、第２のハウジング３７に係合してバネ部３８ｂの煽りを防止するための部分である。
【００４０】
ホールドダウン３９は、金属板に打ち抜き加工を施して作られたものであり、第２のハウジング３７に圧入される圧入部３９ａと、電源供給基板３１からの第２のコネクタ３２の浮き上がりを防止する実装時浮き防止部３９ｂと、電源供給基板３１のスルーホール（図示せず）に半田付け固定される基板半田付け部３９ｃとを有している。
【００４１】
次に、図１６〜図１８を参照して、第１のコネクタ２４と第２のコネクタ３２との接続について説明する。
【００４２】
図１６のように第１のコネクタ２４と第２のコネクタ３２とを位置合わせし、図１７に示す第１の形態又は図１８に示す第２の形態のように両者を嵌合させる。ここで、図１７におけるシャーシ３と電源供給基板３１との間隔ｔ１は、図１８におけるシャーシ３と電源供給基板３１との間隔ｔ２よりも狭い。しかし、いずれの場合であっても、第１のコネクタ２４と第２のコネクタ３２とに所望の電気的接続を得ることができる。即ち、第１のコネクタ２４におけるコネクタ接触部３５ｄの有効接触長が長いので、接触位置を変えることにより、シャーシ３と電源供給基板３１の位置変動に対応することが可能である。
【００４３】
また、上述した構造によると、ゴム栓やハーネスが不要となる上に、組み立ての際にハーネスをシャーシ３の穴に通して表裏の基板（発光素子基板および電源供給基板）と接続する工程が不要となるため工数を削減でき、したがって製造コストを下げることができる。さらにハーネスをシャーシの穴に通して表裏でそれぞれ基板と接続する工程が不要であるため、各部材をスタック（積層）して組み立てていくのに好適であり、組み立て時の作業性が良好となり、バックライトアセンブリ１およびバックライトユニット２００の製造コストも抑制できる。
【００４４】
次に、図１９〜図３０を参照して、第２の実施形態に係るバックライトアセンブリを、それの製造方法と共に説明にする。なお、図１〜図１８とは構造が多少相違しても同様な機能をもつ部分には同じ参照符号を付し、そしてそれらについての説明を省略することがある。
【００４５】
図２〜図９を参照して説明した第１の実施形態に係るバックライトアセンブリでは第２のコネクタ３２が電源供給基板３１に実装されているが、第２のコネクタ３２は電源供給基板３１にフレキシブルなハーネスを介して電気的に接続されてもよい。
【００４６】
さらには、図１９に示すように、ハーネス４１の第２のコネクタ３２とは反対側の端部に第３のコネクタ４２を接続し、電源供給基板３１に実装接続した第４のコネクタ４３に第３のコネクタ４２を嵌合接続することで、第２のコネクタ３２をハーネス４１、第３のコネクタ４２、及び第４のコネクタ４３を介して、電源供給基板３１に電気的に接続することもできる。この場合、ハーネス４１、第２のコネクタ３２、及び第３のコネクタ４２を合せて、ハーネスコネクタと呼ぶこともできる。
【００４７】
第２のコネクタ３２が電源供給基板３１にフレキシブルなハーネス４１を介して接続された構造によると、シャーシ３に固定される電源供給基板３１に対し第２のコネクタ３２が位置可変になる。したがって、同じくシャーシ３に固定される第１のコネクタ２４に対する第２のコネクタ３２の位置合わせが容易になる。
【００４８】
図２０〜図２５を参照して、バックライトアセンブリ１の変形例におけるシャーシ３に対する各部品の組み付けについて説明する。
【００４９】
まず図２０において、シャーシ３のシャーシ穴部３ｄに前面（表面）側から第１のコネクタ２４を挿通させる。このとき、第１のコネクタ２４の第１のハウジング３４の外周に形成したフランジ３４ｆがシャーシ３の主板部３ａに当接することで、第１のコネクタ２４はシャーシ３に係止され、図２１の状態となる。
【００５０】
図２１において、多数の発光素子２５を実装した発光素子基板２６に放熱用部材２７を取り付けてなる発光部品２８を、第１のコネクタ２４を設置したシャーシ３の前面に配置する。その際、二つの基板凸部２６ａを第１のコネクタ２４の二つの基板挿入口３４ａにそれぞれ挿入し、図２２の状態を得る。
【００５１】
図２２の状態で、放熱用部材２７をシャーシ３にネジ止めする。かくして、図１に示すバックライトアセンブリ１の前面側には、第１のコネクタ２４を介して通電可能な多数の発光素子２５がシャーシ３の一片の近傍に沿って配列固定される。なお、フランジ３４ｆが主板部３ａと放熱用部材２７とに挟まれることで、第１のコネクタ２４の固定がなされる。
【００５２】
図２３に移り、シャーシ３の後面（裏面）側には第１のコネクタ２４の一部が突出し、ここに二つのコネクタ挿入口３４ｇが形成されている。一方、第２のコネクタ３２はハーネス４１の一端に電気的に接続されたものである。ハーネス４１の他端は、シャーシ３の後面に平行に配置されかつシャーシ３にネジ止めにより固定されている電源供給基板３１に電気的に接続されている。第２のコネクタ３２を第１のコネクタ２４のコネクタ挿入口３４ｇに嵌合させ、図２４の状態を得る。かくして、電源供給基板３１から、ハーネス４１、第２のコネクタ３２、及び第１のコネクタ２４を介して、発光素子基板２６に電力を供給することができるようになる。
【００５３】
図２４の状態における第１のコネクタ２４と第２のコネクタ３２との関係を図２５に示す。図２５では、第２のコネクタ３２に設けた可動レバー３２ａの一端のロック爪３２ｂが第１のコネクタ２４のロック部３４ｈに係合することで、第１のコネクタ２４と第２のコネクタ３２とを嵌合状態でロックしている。レバー３２ａの他端に外力Ｆを加えることで、ロック爪３２ｂをロック部３４ｈから外して第１のコネクタ２４と第２のコネクタ３２とのロックを容易に解放することができる。
【００５４】
次に、図１９と共に図２６〜図３０を参照して、第２の実施形態に係るバックライトアセンブリにおける第１のコネクタ２４について説明を補足する。なお、図１０〜図１２に示した第１のコネクタと同様な部分については同じ参照符号を付して説明を省略する。
【００５５】
図２６と共に図２７を参照すると、第１のコネクタ２４の第１のハウジング３４は、ロック部３４ｈとは反対側の端部に、フランジ３４ｆの途切れ部３４ｊに対応して弾性部３４ｋを有している。弾性部３４ｋは、図２８に示すように、フランジ３４ｆと協働して第１のコネクタ２４をシャーシ３に対し拘束若しくは固定する部分である。即ち、フランジ３４ｆと弾性部３４ｋとは合せて、シャーシ係合部として働く。
【００５６】
図２６と共に図２９を参照すると、第１のハウジング３４とこれに組み込まれた第１のコンタクト３５との関係が明瞭に示されている。
【００５７】
第１のハウジング３４は、薄い板状に形成された導電体よりなる第１のコンタクト３５をそれぞれ圧入された４つのコンタクト受け穴４４を有している。各コンタクト受け穴４４は、第１のコンタクト３５と同様に薄いスリット状に形成されているが、その一部にのみ幅広部４４ａを形成されている。幅広部４４ａは、第１のハウジング３４をプラスチック成形する際に、コンタクト受け穴４４の形成を容易にするであろう。
【００５８】
また第１のハウジング３４には、図２９における右端に、第１のコンタクト３５の押圧を可能にする切欠き部４５が形成され、また図２９の左端に、第１のコンタクト３５の検査や確認を可能にする穴部４６が形成されている。
【００５９】
第１のコンタクト３５は、第１のハウジング３４に圧入固定された固定部（係合部）５１、固定部５１から一側に突出したピン部（接触部）５２、固定部５１から他側に蛇行しつつ延在したスプリング部５３、スプリング部５３の延在端に一体形成され、スプリング部５３によってプリロードを付与されて第１ハウジング３４の当接面５４に当接した当接部５５、及び当接部５５からのびて第１ハウジング３４のガイド穴５６に挿通された可動部５７を有している。当接部５５の端部は円弧形状のＲ部５８により丸く形成されている。また可動部５７には、接点６１と斜面部６２とストレート部６３とが形成されている。ピン部５２には、前述した第２のコネクタ３２が電気的に接続される。ここで、スプリング５３、当接部５５、可動部５７、Ｒ部５８、接点６１、斜面部６２、及びストレート部６３は、合せてバネ部として働く。
【００６０】
なお、図１９に示す第２のコンタクト３８については、図１４の第２のコンタクトと同様な機能をもつ部分に同じ参照符号を付して説明を省略する。
【００６１】
図３０に示すように、発光素子基板２６の基板凸部２６ａが第１ハウジング３４の基板挿入口３４ａに挿入されると、基板凸部２６ａにより斜面部６２が押されることにより可動部５７がスプリング部５３に逆らって退行し、接点６１が基板凸部２６ａの接触部２６ｃに接触する。
【００６２】
可動部５７が退行した状態でも、ストレート部６３の少なくとも一部がガイド穴５６に挿入されているように設計されている。これにより、ストレート部６３の傾きを防止して、スプリング部５３の座屈変形を阻止することができる。
【００６３】
さらに、当接部５５の端部がＲ部５８により丸く形成されているので、たとえストレート部６３が少し傾いたとしても、当接部５５の端部がコンタクト受け穴４４の内壁に係合して動作不良を引き起こすことも防止される。
【００６４】
また、第１のコネクタ２４の高さ寸法ｈを比較的小さくすることができるので、バックライトアセンブリ及びそれを用いた表示装置の全体寸法の低減が容易である。
【００６５】
上記第１及び第２の実施形態の各々には、次に例示するような様々な変形が可能である。
【００６６】
シャーシ３の一辺にのみ発光素子基板２６を設けた場合を図示しているが、必ずしも一辺にのみ設けた場合には限定されず、発光素子基板２６をシャーシ３の複数辺に設けてもよい。
【００６７】
第１のハウジング３４のシャーシ突き当て面３４ｃは、シャーシ３に対し、第１のハウジング３４に備えたシャーシ係合爪３４ｄにより位置決めされているが、シャーシ３に固定の発光素子基板２６により位置決めされてもよい。後者の場合には、第１のハウジング３４にシャーシ係合爪３４ｄを備える必要なく第１のハウジング３４を拘束することができる。なお、いずれの場合にも、シャーシ突き当て面３４ｃがシャーシ３に係合するシャーシ係合部として働く。
【００６８】
第１のハウジング３４は、シャーシ３に拘束若しくは固定される代わりに、例えば放熱板（ヒートシンク）のような他の部材に拘束若しくは固定されてもよい。
【００６９】
なお、本発明は上記実施形態に限られることはなく、またその一部又は全部は以下の付記のようにも記載され得るがそれらには限られない。
【００７０】
（付記１）
シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板に実装されかつ前記第１のコネクタに嵌合接続された第２のコネクタとを含み、前記電源供給基板から前記発光素子基板に前記第１のコネクタ及び前記第２のコネクタを介して電力を供給することを特徴とするバックライトアセンブリ。
【００７１】
（付記２）
シャーシと、前記シャーシの前面に配置され、発光素子が実装された発光素子基板と、前記シャーシの後面に配置され、前記発光素子基板に電力を供給する電源供給基板と、前記シャーシに保持され、前記発光素子基板が嵌合接続された第１のコネクタと、前記電源供給基板にハーネスを介して接続されかつ前記第１のコネクタに嵌合接続された第２のコネクタとを含み、前記電源供給基板から前記発光素子基板に前記第１のコネクタ及び前記第２のコネクタを介して電力を供給することを特徴とするバックライトアセンブリ。
【００７２】
（付記３）
前記第１のコネクタは、前記シャーシを貫通した絶縁性の第１のハウジングと、前記第１のハウジングに保持された導電性の第１のコンタクトとを含む、付記１又は２に記載のバックライトアセンブリ。
【００７３】
（付記４）
前記第１のコンタクトは、前記第１のハウジングに係合した係合部と、前記係合部の一側に設けた、前記発光素子基板と接触するバネ部と、前記係合部の反対側に設けた、前記第２のコネクタと接触する接触部とを有する、付記３に記載のバックライトアセンブリ。
【００７４】
（付記５）
前記第１のハウジングは、前記発光素子基板を挿入する挿入口と、前記シャーシに係合するシャーシ係合部とを有する、付記３又は４に記載のバックライトアセンブリ。
【００７５】
（付記６）
前記第２のコネクタは、絶縁性の第２のハウジングと、前記第２のハウジングに保持された導電性の第２のコンタクトと、前記第２のハウジングに固定されたホールドダウンとを含み、前記ホールドダウンは前記電源供給基板に半田付け固定された、付記１、３、４、及び５のいずれか一項に記載のバックライトアセンブリ。
【００７６】
（付記７）
前記第２のコンタクトは、前記第２のハウジングに係合する係合部と、前記第１のコンタクトの接触部に接触するためのバネ部とを有する、付記１〜６のいずれか一項に記載のバックライトアセンブリ。
【００７７】
（付記８）
付記１〜７のいずれか一項に記載のバックライトアセンブリと、前記シャーシの前面側に配置された光学系とを含むことを特徴とするバックライトユニット。
【００７８】
（付記９）
前記光学系は、前記シャーシの前面に順次積層された、反射シート、導光板、拡散シート、プリズムシート、及び集光シートを含む、付記８に記載のバックライトユニット。
【００７９】
（付記１０）
付記８又は９に記載のバックライトユニットと、液晶表示部とを含み、前記前記光学系は前記バックライトアセンブリと前記液晶表示部との間に配置されていることを特徴とする液晶表示装置。
【００８０】
（付記１１）
前記バックライトユニット及び前記液晶表示部を搭載したフレームを含む、付記１０に記載の液晶表示装置。
【産業上の利用可能性】
【００８１】
本発明は、テレビジョン受信機の液晶モニタなどの液晶表示装置に利用可能である。
【符号の説明】
【００８２】
１００  液晶表示装置
２００  バックライトユニット
３００  液晶表示部
１  バックライトアセンブリ
３  シャーシ
３ａ  主板部
３ｂ  枠板部
３ｃ  凹部
３ｄ  シャーシ穴部
５  反射シート
７  導光板
９  拡散シート
１１  プリズムシート
１３  集光シート
１５  フレーム
２４  第１のコネクタ
２５  発光素子
２６  発光素子基板
２６ａ  基板凸部
２６ｂ  ネジ止め穴
２６ｃ  接触部
２７  放熱用部材
２７ａ  裏打ち部
２７ｂ  放熱部
２７ｃ  凸部挿入口
２８  発光部品
３１  電源供給基板
３１ａ  嵌合用開口
３２  第２のコネクタ
３２ａ  可動レバー
３２ｂ  ロック爪
３４  第１のハウジング
３４ａ  基板挿入口（挿入口）
３４ｂ  挿入誘い部
３４ｃ  シャーシ突き当て面
３４ｄ  シャーシ係合爪
３４ｅ  コネクタ突き当て面
３４ｆ  フランジ
３４ｇ  コネクタ挿入口
３４ｈ  ロック部
３４ｊ  途切れ部
３４ｋ  弾性部
３５  第１のコンタクト
３５ａ  圧入部（係合部）
３５ｂ  圧入部
３５ｃ  バネ部
３５ｄ  コネクタ接触部（接触部）
３５ｅ  基板接触部
３５ｆ  煽り防止部
３７  第２のハウジング
３７ａ  嵌合用凹部
３７ｂ  誘い受け部
３８  第２のコンタクト
３８ａ  係合部
３８ｂ  バネ部
３８ｃ  端子部
３８ｄ  コネクタ接触部
３８ｅ  煽り防止部
３９  ホールドダウン
３９ａ  圧入部
３９ｂ  実装時浮き防止部
３９ｃ  基板半田付け部
４１  ハーネス
４２  第３のコネクタ
４３  第４のコネクタ
４４  コンタクト受け穴
４４ａ  幅広部
５１  固定部（係合部）
５２  ピン部（接触部）
５３  スプリング部
５４  当接面
５５  当接部
５６  ガイド穴
５７  可動部
５８  Ｒ部
６１  接点
６２  斜面部
６３  ストレート部
１０３  シャーシ
１０３ｂ  枠
１２３ａ〜１２３ｃ  発光素子基板
１３１  発光素子
１３３  発光素子コネクタ
１４３  発光素子側コネクタ
２３１  ゴム栓
２３１ａ  小穴
２３３  ハーネス
２３４  穴
２３５  電源供給基板コネクタ
２３７  電源供給基板
【図１】
2012028300.tif 000003
【図２】
2012028300.tif 000004
【図３】
2012028300.tif 000005
【図４Ａ】
2012028300.tif 000006
【図４Ｂ】
2012028300.tif 000007
【図５Ａ】
2012028300.tif 000008
【図５Ｂ】
2012028300.tif 000009
【図６Ａ】
2012028300.tif 000010
【図６Ｂ】
2012028300.tif 000011
【図７】
2012028300.tif 000012
【図８】
2012028300.tif 000013
【図９】
2012028300.tif 000014
【図１０】
2012028300.tif 000015
【図１１】
2012028300.tif 000016
【図１２】
2012028300.tif 000017
【図１３】
2012028300.tif 000018
【図１４】
2012028300.tif 000019
【図１５】
2012028300.tif 000020
【図１６】
2012028300.tif 000021
【図１７】
2012028300.tif 000022
【図１８】
2012028300.tif 000023
【図１９】
2012028300.tif 000024
【図２０】
2012028300.tif 000025
【図２１】
2012028300.tif 000026
【図２２】
2012028300.tif 000027
【図２３】
2012028300.tif 000028
【図２４】
2012028300.tif 000029
【図２５】
2012028300.tif 000030
【図２６】
2012028300.tif 000031
【図２７】
2012028300.tif 000032
【図２８】
2012028300.tif 000033
【図２９】
2012028300.tif 000034
【図３０】
2012028300.tif 000035
【図３１】
2012028300.tif 000036
【図３２】
2012028300.tif 000037
【図３３】
2012028300.tif 000038